(57)【特許請求の範囲】
【請求項１】
パーソナライズされたビデオコンテンツを消費するための方法であって、
一のユーザのパーソナルデバイスにより、複数のユーザによる使用のために構成された共有ビデオデバイスに登録する段階と、
前記登録する段階の後に、前記一のユーザによるパーソナライズされたビデオコンテンツ消費を容易にするべく、前記パーソナルデバイスにより、前記共有ビデオデバイスと連携する段階と、を備え、
前記登録する段階は、前記パーソナルデバイスにより、前記共有ビデオデバイスのユーザの画像の選択を、前記共有ビデオデバイスへと送信する段階を有し、
前記登録する段階は更に、
送信された前記選択の前記ユーザの前記画像を含む前記共有ビデオデバイスの複数のユーザの１以上の画像を、前記パーソナルデバイスにより前記共有ビデオデバイスから受信する段階と、
送信された前記選択の前記ユーザの前記画像を含む前記共有ビデオデバイスの複数のユーザの前記１以上の画像を、前記パーソナルデバイスにより表示する段階と、
送信された前記選択の前記ユーザの前記画像を選択するユーザ入力を、前記パーソナルデバイスにより受け付ける段階とを有する、
または、
送信された前記選択の前記ユーザの前記画像を含む前記共有ビデオデバイスの複数のユーザの１以上の画像を、前記パーソナルデバイスにより、前記共有ビデオデバイスから受信する段階と、
前記パーソナルデバイスにより、前記共有ビデオデバイスの前記複数のユーザの前記１以上の画像と、前記パーソナルデバイスの一のユーザのリファレンス画像とを比較する段階と、
前記パーソナルデバイスにより、前記比較する段階の結果に少なくとも一部基づいて、送信された前記選択の前記ユーザの前記画像を選択する段階とを有する、
方法。
【請求項２】
前記パーソナルデバイスは、スマートフォンおよびタブレットコンピュータのうちから選択された１つを含み、
前記共有ビデオデバイスは、テレビおよび前記テレビに結合されたセットトップボックスのうちから選択された１つを含み、
前記登録する段階は、
前記スマートフォンおよび前記タブレットコンピュータのうちから選択された前記１つにより、前記テレビおよび前記テレビに結合された前記セットトップボックスのうちから選択された前記１つとの関連付け、または、前記テレビおよび前記テレビに結合された前記セットトップボックスのうちから選択された前記１つの前記テレビにおけるピクチャインピクチャとの関連付け、を登録する段階を有する、または、
前記スマートフォンおよび前記タブレットコンピュータのうちから選択された前記１つにより、前記テレビおよび前記テレビに結合された前記セットトップボックスのうちから選択された前記１つの前記テレビにおけるピクチャインピクチャを、前記スマートフォンおよび前記タブレットコンピュータのうちから選択された前記１つに関連付ける段階を有する、請求項１に記載の方法。
【請求項３】
前記連携する段階は、前記共有ビデオデバイスにレンダリングされるビデオストリームと関連付けられたビデオ、イメージまたはデータを、前記パーソナルデバイスにより、前記共有ビデオデバイスと交換する段階を有する、請求項１または２に記載の方法。
【請求項４】
前記交換する段階は、前記共有ビデオデバイスにレンダリングされるビデオストリームに対してユーザが興味を持っているかまたは好きか／嫌いかに関連するデータを、前記パーソナルデバイスにより、前記共有ビデオデバイスから受信する段階を含み、
前記データは、前記共有ビデオデバイスによる顔の表情または手のジェスチャの認識を使用して、前記共有ビデオデバイスにより生成される、請求項３に記載の方法。
【請求項５】
前記受信する段階は、ピクチャインピクチャを拡大または縮小する制御、メインピクチャおよびピクチャインピクチャにレンダリングされる２つのビデオストリームを交換する制御、または、３ＤＴＶレンダリングに関連する制御を受信する段階を含む、請求項４に記載の方法。
【請求項６】
前記連携する段階は、前記共有ビデオデバイスにレンダリングされる１以上のビデオストリームを制御するための制御を、前記パーソナルデバイスにより、前記共有ビデオデバイスへと送信する段階を有する、請求項１から５の何れか１項に記載の方法。
【請求項７】
前記連携する段階は更に、
前記パーソナルデバイスにより、前記一のユーザの１以上の手のジェスチャを認識する段階と、
前記パーソナルデバイスにより、前記１以上の手のジェスチャに少なくとも一部基づいて、前記制御を生成する段階とを有する、請求項５または６に記載の方法。
【請求項８】
パーソナライズされたビデオコンテンツを消費するための方法であって、
複数のユーザによる使用のために構成された共有ビデオデバイスにより、一のユーザのパーソナルデバイスに登録する第１の登録段階と、
前記第１の登録段階の後に、前記一のユーザによるパーソナライズされたビデオコンテンツ消費を容易にするべく、前記共有ビデオデバイスにより、前記パーソナルデバイスと連携する段階と、
を備え、
前記第１の登録段階は、前記共有ビデオデバイスにより、前記共有ビデオデバイスのユーザの画像の選択を、前記パーソナルデバイスから受け付ける段階を含み、
前記方法は更に、
前記共有ビデオデバイスにより、前記共有ビデオデバイスの１以上のユーザの１以上の画像を撮像する段階と、
前記パーソナルデバイスまたは前記パーソナルデバイスのユーザによる選択のために、前記共有ビデオデバイスにより、前記共有ビデオデバイスの前記１以上のユーザの前記１以上の画像を、前記パーソナルデバイスに供給する段階とを有する、
方法。
【請求項９】
前記パーソナルデバイスは、スマートフォンおよびタブレットコンピュータのうちから選択された１つを含み、
前記共有ビデオデバイスは、テレビおよび前記テレビに結合されたセットトップボックスのうちから選択された１つを含み、
前記第１の登録段階は、
前記テレビおよび前記テレビに結合されたセットトップボックスのうちから選択された前記１つにより、前記スマートフォンおよび前記タブレットコンピュータのうちから選択された前記１つとの関連付け、または、前記スマートフォンおよび前記タブレットコンピュータのうちから選択された前記１つの前記テレビにおけるピクチャインピクチャとの関連付け、を登録する第２の登録段階を有する、
または、
前記関連付ける段階は、前記テレビおよび前記テレビに結合された前記セットトップボックスのうちから選択された前記１つにより、前記スマートフォンおよび前記タブレットコンピュータのうちから選択された前記１つを、前記テレビおよび前記テレビに結合された前記セットトップボックスのうちから選択された前記１つ、または、前記テレビおよび前記テレビに結合された前記セットトップボックスのうちから選択された前記１つの前記テレビにおけるピクチャインピクチャに、関連付ける段階を有する、請求項８に記載の方法。
【請求項１０】
前記第１の登録段階は、前記共有ビデオデバイスに既知の前記共有ビデオデバイスのユーザの画像と前記パーソナルデバイスとが関連付けられていることを認識することに少なくとも一部基づいて、前記共有ビデオデバイスにより、前記パーソナルデバイスに登録する段階を有する、請求項８または９に記載の方法。
【請求項１１】
前記方法は更に、
前記共有ビデオデバイスの前記ユーザの前記画像と、前記パーソナルデバイスとが関連付けられたことを、前記共有ビデオデバイスにより認識する段階を備える、請求項１０に記載の方法。
【請求項１２】
前記撮像する段階は、
前記共有ビデオデバイスにより、前記共有ビデオデバイスの正面の空間の画像を撮像する段階と、
前記共有ビデオデバイスを見る１以上のユーザの顔を特定するべく、前記共有ビデオデバイスの前記正面の空間の撮像された前記画像を、前記共有ビデオデバイスにより分析する段階と、
前記分析する段階で特定された前記１以上のユーザの顔に少なくとも一部基づいて、前記１以上のユーザの前記１以上の画像を生成する段階と、を有する請求項８から１１の何れか１項に記載の方法。
【請求項１３】
前記連携する段階は、前記共有ビデオデバイスにより、前記共有ビデオデバイスにレンダリングされるビデオストリームと関連付けられたビデオ、イメージまたはデータを、前記パーソナルデバイスと交換する段階を有する、請求項８から１２の何れか１項に記載の方法。
【請求項１４】
前記方法は更に、
ビデオコンテンツを消費する間に、前記共有ビデオデバイスにより、ユーザの顔の表情または手のジェスチャを認識する段階と、
前記共有ビデオデバイスにより、前記ビデオコンテンツに対して前記ユーザが興味を持っているかまたは好きか／嫌いかに関連するデータを生成する段階と、
前記共有ビデオデバイスにより、前記ビデオコンテンツに対して前記ユーザが興味を持っているかまたは好きか／嫌いかに関連する前記データを、前記パーソナルデバイスに送信する段階と、を更に備える請求項１３に記載の方法。
【請求項１５】
前記連携する段階は、前記共有ビデオデバイスにより、前記共有ビデオデバイスにレンダリングされる１以上のビデオストリームを制御するための制御を、前記パーソナルデバイスから受信する段階を有し、
前記制御は、前記パーソナルデバイスによって認識されるユーザの１以上の手のジェスチャに少なくとも一部基づいて、前記パーソナルデバイスによって生成される、請求項８から１４の何れか１項に記載の方法。
【請求項１６】
前記受信する段階は、ピクチャインピクチャを拡大または縮小する制御、メインピクチャおよびピクチャインピクチャにレンダリングされる２つのビデオストリームを交換する制御、または、３ＤＴＶレンダリングを制御する制御を受信する段階を含む、請求項１５に記載の方法。
【請求項１７】
パーソナライズされたビデオコンテンツを消費するための装置であって、
複数の命令を有する少なくとも１つのコンピュータ可読記憶媒体を備え、
一のユーザのパーソナルデバイスによって前記複数の命令が実行されたことに応答して、前記パーソナルデバイスに、請求項１から７の何れか一項に記載の方法を実行させる装置。
【請求項１８】
パーソナライズされたビデオコンテンツを消費するための装置であって、
複数のユーザによる消費のための１以上のビデオストリームをレンダリングするビデオレンダリング回路と、
前記装置を、一のユーザのパーソナルデバイスに登録する登録機能と、
前記ビデオレンダリング回路および前記登録機能と、動作可能に結合され、登録を行った後に、ユーザに対してパーソナライズされたユーザ機能を提供するべく、前記パーソナルデバイスと連携する１以上のパーソナルデバイス連携機能と、
前記装置の１以上のユーザの１以上の画像を撮像する撮像機能と、
前記パーソナルデバイスまたは前記パーソナルデバイスのユーザによる選択のために、前記装置の前記１以上のユーザの前記１以上の画像を、前記パーソナルデバイスに供給する供給機能と
を備え、
前記登録機能は、前記装置のユーザの画像の選択を、前記パーソナルデバイスから受け付ける受付機能を有する、装置。
【請求項１９】
前記登録機能および前記１以上のパーソナルデバイス連携機能は更に、前記装置が、請求項９から１６の何れか一項に記載の方法を実行することを可能にする、請求項１８に記載の装置。
【発明の詳細な説明】
【技術分野】
【０００１】
本願は、データ処理の技術分野に関し、より詳細には、共有ビデオデバイスおよびパーソナルデバイスを使用したパーソナライズされたビデオコンテンツ消費に関する方法および装置に関する。
【０００２】
［関連出願］
本願は、（１）"Cooperative Provision of Personalized User Functions Using Shared and Personal Devices（共有デバイスおよびパーソナルデバイスを使用したパーソナライズされたユーザ機能の連携提供）"、代理人整理番号110466-182901（顧客整理番号P39141PCT）および（２）Annotation and Recommendation of Video Content Method and Apparatus（ビデオコンテンツのアノテーションおよび推奨の方法および装置）、代理人整理番号116536-182903（顧客整理番号P38948PCT）に関連し、これら文献は、本願と同時期に出願された。
【背景技術】
【０００３】
本開示の背景を、一般的に示すことを目的として、背景技術を説明する。そうでないと示されていない限り、本章に記載される内容は、本願の特許請求の範囲に対して従来技術ではなく、また、本章に含めることによって、その内容が従来技術であると認めたわけではない。
【０００４】
集積回路、コンピュータ、ネットワークおよびその他の技術の進歩に伴い、一のユーザによる使用のために構成されたパーソナルデバイス、例えば、スマートフォン、タブレットコンピュータ等が、普及してきた。それと同時に、複数のユーザが使用するように構成された共有ビデオデバイス、例えば、テレビまたはテレビに結合されたセットトップボックスも依然として一般的であり、その理由の１つとして、高解像度ビデオ、サラウンド音響等、機能の拡張がなされていることが挙げられる。現在、パーソナルデバイスを、共有ビデオデバイスに対する従来のリモート制御として使用することを除いて、パーソナルデバイスと共有ビデオデバイスとの間の統合または連携がほとんど行われていない。
【０００５】
本発明の実施形態を、限定ではなく、実施形態の例として、添付の図面を参照して記載する。同様な要素には、同様な参照番号が付与されている。
【図面の簡単な説明】
【０００６】
【図１】共有デバイスおよびパーソナルデバイスの使用構成の一例を示したブロック図である。
【図２】共有ビデオデバイスおよびパーソナルデバイスの一例をより詳細に示した図である。
【図３】共有デバイスおよびパーソナルデバイスを使用したパーソナライズされたビデオコンテンツ消費の方法の一例を示した図である。
【図４】共有デバイスおよびパーソナルデバイスの間の顔認識に基づく登録および／または関連付けの方法の様々な例を示した図である。
【図５】共有デバイスおよびパーソナルデバイスを使用したパーソナライズされたビデオコンテンツ消費の例のユーザビューを示した図である。
【図６】共有デバイスおよびパーソナルデバイスの連携によって提供される選択されたパーソナライズされたユーザ機能の提供のユーザビューを示した図である。
【図７】共有デバイスおよびパーソナルデバイスの連携によるパーソナライズされた推奨の方法の一例を示した図である。
【図８】図３および図４の方法の側面の全てまたは選択された側面を実行するように構成された命令を有する非一時的コンピュータ可読記憶媒体の一例を示した図である。
【図９】共有デバイスまたはパーソナルデバイスとして使用するのに適したコンピュータ環境の一例を示しており、本開示の実施形態に従って全て配置されている。
【発明を実施するための形態】
【０００７】
共有デバイスおよびパーソナルデバイスを使用したパーソナライズされたビデオコンテンツ消費に関する方法、装置および記憶媒体について開示される。様々な実施形態において、パーソナルデバイス（ＰＤ）の方法は、ユーザのパーソナルデバイスにより、複数のユーザによる使用のために構成された共有ビデオデバイスへ登録する段階、および、パーソナルデバイスによって、共有ビデオデバイスをパーソナルデバイスと関連付ける段階を備えてもよい。ＰＤの方法は更に、登録または関連付けの後に、パーソナルデバイスによって、共有ビデオデバイスと連携して、ユーザによるパーソナライズされたビデオコンテンツ消費を容易にする段階を備えてもよい。
【０００８】
例示される実施形態の様々な側面が、同技術分野における他の当業者に発明の実質的な内容を伝達するべく、当業者間で共通に使用される用語を用いて説明される。しかしながら、当業者であれば、記載される側面の一部のみを使用して、別の実施形態を実施可能であることは明らかである。説明を目的として、例示した実施形態の完全な理解を提供するべく、具体的な数字、材料および構成が記載される。しかしながら、当業者であれば、詳細事項がなくとも、別の実施形態を実施可能であることは明らかである。また、例示の実施形態を曖昧にしないために、周知の特徴は、省略されているまたは簡略化されている。
【０００９】
更に、様々なオペレーションが、別個の複数のオペレーションとして記載される、つまり、例示する実施形態の理解を最も助けるような態様で記載されるが、記載される順番により、これらオペレーションが必ずしも順番に依存することを示唆すると解釈されるべきではない。より詳細には、これらオペレーションは、提示された順番で実行される必要はない。
【００１０】
特許請求の範囲を含む本明細書で使用される"スマートフォン"という言葉は、単なる携帯電話による通信を超えた、例えば、パーソナルデジタルアシスタント（ＰＤＡ）、メディアプレーヤ、カメラ、タッチスクリーン、ウェブブラウザ、グローバル・ポジショニング・システム（ＧＰＳ）ナビゲーション、ＷｉＦｉ、携帯ブロードバンド等を備えた多機能な携帯電話を意味する。"携帯電話"という言葉またはこれらの派生語は、特許請求の範囲を含む本明細書において、多くの公共セルによって適用される広い地理的エリアにわたって携帯電話による通話を行うのに使用される携帯電子機器を意味する。
【００１１】
"一実施形態において"または"ある実施形態において"というフレーズが繰り返し使用される。このフレーズは、通常、同じ実施形態を意味するとして使用されていないが、場合によっては、そのように使用している。"備える（comprising）"、"有する（having）"、および、"含む（including）"という言葉は、コンテキストにおいて、そうでないと明記されない限り、同義語として使用される。"Ａ／Ｂ"というフレーズは、"ＡまたはＢ"を意味する。"Ａおよび／またはＢ"というフレーズは、"（Ａ）、（Ｂ）または（ＡおよびＢ）"を意味する。"Ａ、ＢおよびＣの少なくとも１つ"というフレーズは、"（Ａ）、（Ｂ）、（Ｃ）、（ＡおよびＢ）、（ＡおよびＣ）、（ＢおよびＣ）または（Ａ、ＢおよびＣ）を意味する。本明細書で使用されている"ＡまたはＢのうちの選択された１つ"というフレーズは、"Ａ"または"Ｂ"を指し、"選択"オペレーションを実行する必要があるまたは実行を示唆するものではない。
【００１２】
図１は、様々な実施形態に係る共有デバイスおよびパーソナルデバイスの使用配置の一例を示したブロック図である。図に示すように、配置１００は、複数のユーザによる使用のために、オーディオ／ビジュアル（Ａ／Ｖ）コンテンツ１３４を受信およびレンダリングする共有ビデオデバイス（shared video device：ＳＶＤ）１０２と、一人のユーザによる使用のために、携帯電話による通信などの様々なパーソナル機能を提供するパーソナルデバイス（ＰＤ）１１２とを含んでもよい。更に、ＳＶＤ１０２およびＰＤ１１２は、互いに連携して、以下に詳細に記載するようなパーソナライズされたビデオコンテンツ消費を提供するべく、ＰＤ連携機能１５２およびＳＶＤ連携機能１６２をそれぞれ有するように構成されてもよい。本開示の実施形態に係るＰＤ連携機能１５２およびＳＶＤ連携機能１６２を除いて、ＳＶＤ１０２の例は、テレビ１０６およびセットトップボックス１０４の複数のデバイス結合の組み合わせ、または、テレビ１０６およびセットトップボックス１０４が統合された組み合わせによる１つのデバイスを含んでもよく、ＰＤ１１２の例として、スマートフォンまたはタブレットコンピュータが含まれてもよい。様々な実施形態において、テレビ１０６は、１以上のピクチャインピクチャ（ＰＩＰ）１０８を有するＰＩＰ機能を含んでもよく、セットトップボックス１０４は、カメラのようなデジタル撮像デバイス１５４を含んでもよい。同様に、ＰＤ１１２も、カメラのようなデジタル撮像デバイス１６４を含んでもよい。
【００１３】
図に示すように、ＳＶＤ１０２は、１以上のＡ／Ｖコンテンツソース（図示せず）に結合されて、選択的にＡ／Ｖコンテンツ１３４を受信するように構成されてもよく、ＰＤ１１２は、無線広域ネットワーク（ＷＷＡＮ）１２０を介して、無線１４８で、移動体通信サービス１３６に結合するよう構成されてもよい。Ａ／Ｖコンテンツソースの例としては、これに限定されないが、テレビ番組放送局、ケーブル運営局、衛星テレビ番組配信元、デジタルビデオレコーダ（ＤＶＲ）、コンパクトディスク（ＣＤ）もしくはデジタルビデオディスク（ＤＶＤ）プレーヤ、または、ビデオカセットレコーダ（ＶＣＲ）が挙げられる。移動体通信サービス１３６としては、符号分割多元接続（ＣＤＭＡ）サービス、拡張ＧＰＲＳ（ＥＤＧＥ）サービス、３Ｇまたは４Ｇサービス（汎用パケット無線サービス：ＧＰＲＳ）が含まれ得る。
【００１４】
再び図１を参照して、様々な実施形態において、ＳＶＤ１０２およびＰＤ１１２は、アクセスポイント１１０介して、互いに無線１４２および１４４で、結合されてもよい。アクセスポイント１１０は更に、ＳＶＤ１０２およびＰＤ１１２を、例えば、インターネット１２２を含む１以上のプライベートネットワークまたは公共ネットワークを介して、リモートクラウドコンピュータ／ウェブサービス１３２に結合してもよい。すなわち、ＳＶＤ１０２、ＰＤ１１２およびアクセスポイント１１０は、ホームネットワークのようなローカルエリアネットワークを形成してもよい。リモートクラウドコンピュータ／ウェブサービス１３２は、Ｇｏｏｇｌｅ（登録商標）もしくはＢｉｎｇ（登録商標）のような検索サービス、または、Ａｍａｚｏｎ（登録商標）のようなｅコマースサイト、または、Ｆａｃｅｂｏｏｋ（登録商標）もしくはＭｙＳｐａｃｅ（登録商標）のようなソーシャルネットワークサイトを含んでもよい。更に、様々な実施形態において、ＳＶＤ１０２およびＰＤ１１２はそれぞれ、パーソナル通信および／または近距離無線通信プロトコルを使用して、デバイスを無線１４６で結合可能なように構成されてもよい。様々な実施形態において、無線結合１４２および１４４は、ＷｉＦｉ（登録商標）接続を含んでもよく、無線結合１４６は、Ｂｌｕｅｔｏｏｔｈ（登録商標）接続を含んでもよい。様々な実施形態において、ＰＤ連携機能１５２およびＳＶＤ連携機能１６２は、トランスミッションコントロールプロトコル（ＴＣＰ）、ユーザダイアグラムプロトコル、または、その他のメッセージプロトコルに従って通信を行ってもよい。
【００１５】
様々な実施形態において、ＳＶＤ１０２およびＰＤ１１２はそれぞれ、関連付けされたＩＤを有してもよい。ＳＶＤ１０２が、ＰＩＰ１０８を伴うテレビ１０６を含む実施形態の場合、ＳＶＤ１０２は更に、メインピクチャおよびＰＩＰ１０８をそれぞれ特定する論理ＩＤを含んでもよい。加えて、 様々な実施形態において、ＩＤは少なくとも、ＳＶＤ１０２およびＰＤ１１２によって送信される発見通信に含まれてもよく、例えば、ＰＤ１１２およびＳＶＤ１０２である通信の受信機が、通信の送信元を区別できるようにする。
【００１６】
図２には、様々な実施形態に係る、ＳＶＤ１０２およびＰＤ１１２の一例について、更に詳細に示した図である。先に説明したように、ＳＶＤ１０２は、ＳＶＤ機能１５１およびＰＤ連携機能１５２を有してもよく、ＰＤ１１２は、ＰＤ機能１６１およびＳＶＤ連携機能１６２を有してもよい。
【００１７】
様々な実施形態において、ＳＶＤ機能１５１は、それぞれが送受信機を含む１以上の通信インターフェース２０２、および、１以上のＡ／Ｖデコーダを有するメディアプレーヤ２０４を含んでもよい。それぞれが送受信機を備える通信インターフェース２０２は、これに限定されないが、テレビ番組放送局、ケーブル運営局または衛星番組配給局からのＡ／Ｖコンテンツを受信する通信インターフェース、ＤＶＲ、ＣＤ／ＤＶＤ／ブルーレイプレーヤまたはＶＣＲからのＡ／Ｖコンテンツを受信する通信インターフェース、アクセスポイント１１０と通信を行う通信インターフェース、および／または、ＰＤ１１２と直接通信を行う通信インターフェースを含み得る。１以上のＡ／Ｖデコーダを備えるメディアプレーヤ２０４は、様々なＡ／Ｖコンテンツストリームをデコードおよびレンダリングするように構成されてもよい。様々なＡ／Ｖデコーダは、様々な形式および／またはエンコード方式のＡ／Ｖコンテンツストリームをデコードするように構成されてもよい。
【００１８】
様々な実施形態において、ＰＤ連携機能１５２は、ＰＤ登録／関連付け機能２１２、ＰＤビデオ／イメージ／データサービス２１４、および、ＰＤ機能２１６による制御を含んでもよい。更に、ＰＤ連携機能は１５２、顔／ジェスチャ認識機能２１８および推奨機能２２０を含んでもよい。
【００１９】
ＰＤ登録／関連付け機能２１２は、ＳＶＤ１０２をＰＤ１１２に登録する、または、ＰＤ１１２をＳＶＤ１０２に関連付けるように構成されてもよい。様々な実施形態において、登録／関連付け機能２１２は、ＩＤおよび／または設定を有するメッセージを交換することにより、ＳＶＤ１０２を、ＰＤ１１２に登録／関連付けするように構成されてもよい。別の実施形態では、登録／関連付け機能２１２は、顔認識サービスを使用して、顔／ジェスチャ認識サービス２１８と連携して、ＳＶＤ１０２をＰＤ１１２と登録／関連付けするように構成されてもよい。様々な実施形態において、登録／関連付け機能２１２は、ＳＶＤ１０２が登録されるおよび／または関連付けられるＰＤ１１２のマップを保持するように構成されてもよい。テレビ１０６が、１以上のＰＩＰ１０８を有するＰＩＰ機能を備える、テレビ１０６およびセットトップボックス１０４の様々な実施形態について、ＰＤ登録／関連付け機能２１２は、ＰＩＰ粒度レベルで、ＳＶＤ１０２をＰＤ１１２に登録する、または、ＳＶＤ１０２をＰＤ１１２と関連付けして、メインピクチャにレンダリングされたビデオストリームおよびＰＩＰ１０８を、論理的に異なるＰＤ１１２と関連付けることを可能としてもよい。更に、 ＰＤ登録／関連付け機能２１２は、ＰＩＰ粒度レベルで、上記で説明したＳＶＤ１０２のＰＤ１１２に対するマップを保持するように構成されてもよい。様々な実施形態において、ＰＤ登録／関連付け機能２１２は更に、例えば、ユーザがＳＶＤ１０２の複数の現在のユーザのうちの１人であるか等の、ＰＤ１１２のユーザの現在のステータスを含めるべく、マップを保持するように構成されていてもよい。ＰＤ登録／関連付け機能２１２は、ユーザが、ＳＶＤ１０２の現在のユーザ（または、ＳＶＤ１０２の複数の現在のユーザのうちの１人）になった場合、または、ＳＶＤ１０２の現在のユーザを辞めた場合に、ステータスを更新するように構成されてもよい。
【００２０】
ＰＤビデオ／イメージ／データサービス２１４は、ＳＶＤ１０２がＰＤ１１２と、ＳＶＤ１０２にレンダリングされるビデオストリームと関連する、ビデオ、イメージおよび／またはデータを交換可能なように構成されてもよい。ＳＶＤ１０２によってＰＤ１１２に供給されるビデオストリームに関連付けられたビデオ、イメージおよび／またはデータは、ＳＶＤ１０２によって撮像されてもよいし、別の第３者から取得してもよい。より詳細には、ＰＤビデオ／イメージ／データサービス２１４は、ＳＶＤ１０２にレンダリングされるビデオストリームからイメージまたはビデオクリップを取得してもよい、または、ＳＶＤ１０２のカメラからイメージを撮像してもよい。ＰＤ１１２に供給するのに加えて、取得されたイメージまたはビデオクリップを、ＰＤ１１２に格納および／または供給してもよい。
【００２１】
更に、ＰＤビデオ／イメージ／データサービス２１４は、ビデオストリームから取得されたイメージまたはビデオクリップを、クラウドコンピューティングサーバに供給して、ビデオストリーム特定する、および／または、ビデオストリームと関連付けられたメタデータを取得してもよい。メタデータは、ビデオストリーム作成者／所有者、配信者または関連する広告者によって提供されてもよい。ビデオストリームに関連付けられたメタデータはまた、ＰＤ１１２に格納または供給されてもよい。更に、閲覧の履歴が、ＳＶＤ１０２に格納されてもよい。
【００２２】
ＰＤ機能２１６による制御は、ＰＤ１１２から制御を受け付け、それに応答して、ＳＶＤ１０２を制御することにより、パーソナライズされたビデオコンテンツ消費を容易にしてもよい。これに限定されないが、制御は、ＳＶＤ１０２にレンダリングされるビデオストリームからのイメージの取得を制御すること、または、ビデオストリームの停止、一時停止、早送りまたは巻き戻しのように、ＳＶＤ１０２上でのビデオストリームのレンダリングを制御することを含んでもよい。ＰＤ機能２１６による制御はまた、ＰＤ１１２から制御を受け付けて、ＳＶＤ１０２上での３ＤＴＶビデオストリームのレンダリングを調整して、レンダリングされる３ＤＴＶイメージの品質を制御してもよい。制御は、構成要素イメージ間の相対的な奥行きの制御、縁部の色および／または鮮明さの歪みを低減する制御を含んでもよい。
【００２３】
顔／ジェスチャ認識サービス２１８は、複数の顔認識および／またはジェスチャ認識サービスを提供するように構成されてもよい。顔認識サービスは、年齢、性別、民族を含む、画像における顔の認識を含んでもよい。顔認識サービスは更に、例えば、賛成している、反対している、興味を持っている、興味を持っていない、満足している、悲しい、怒っているまたは心穏やかである等の表情の認識を含んでもよい。顔認識は、１以上の顔特徴またはバイオメトリック特徴に基づいてもよい。ジェスチャ認識サービスは、複数の手のジェスチャを認識することを含んでもよく、これに限定されないが、"好む"ことを意味する親指を立てた手のジェスチャ、"好まない"ことを意味する親指を下げた手のジェスチャ、"拡大する"ことを意味する２本の指を互いに離す手のジェスチャ、"縮小する"ことを意味する２本の指を互いに近づける手のジェスチャ、または、"交換する"ことを意味する２つの手または２つの指を互いに交差させるジェスチャを含んでもよい。
【００２４】
推奨機能２２０は、単独でまたは推奨機能２４２との組み合わせで、ＳＶＤ１０２を使用したＰＤ１１２とのやり取り／連携に基づいて、および／または、ＳＶＤ連携機能１６２とＰＤ機能１６１との間のやり取り／連携に基づいて、パーソナライズされた推奨をＰＤ１１２のユーザに提供してもよい。パーソナライズされた推奨は、ＰＤ１１２のユーザが興味を持つ可能性のある、例えば、他のコンテンツ、他のウェブサイト、他の広告、他のグッズ等であってもよい。
【００２５】
様々な実施形態において、ＰＤ登録／関連付け機能２１２は、顔／ジェスチャ認識機能２１８と連携して、ＳＶＤ１０２またはＳＶＤ１０２の論理ユニット（例えば、ＳＶＤ１０２がＰＩＰ１０８を伴うテレビ１０６を含む場合には、ＰＩＰ１０８）を、様々なＰＤ１１２に登録する、または、様々なＰＤ１１２と関連付けることを達成してもよい。
【００２６】
本明細書で使用される"関連付け（association）"という言葉は、２つのエンティティ、例えば、ＳＶＤ１０２およびＰＤ１１２の間の関係を指す。本明細書で使用される"登録（registration）"という言葉は、一のエンティティの別のエンティティに対するアクションを指し、例えば、エンティティ間の"関連付け"を形成する目的の"アクション"を指す。言い換えると、本開示は、ＳＶＤ１０２とＰＤ１１２の間の"関連付け"が、一方的にまたは双方向に形成されることを見込んでいる。例えば、ＩＤのような、特定のＰＤ１１２の知識により、ＳＶＤ１０２は、自身を特定のＰＤ１１２に登録することなく、または、特定のＰＤ１１２を自身に登録することを要求することなく、特定のＰＤ１１２を一方的にＳＶＤ１０２に関連付けられていると見なしてもよい。他方では、ＳＶＤ１０２および／またはＰＤ１１２は、関連付けを形成するべく、互いに自身を明示的に特定（"登録"）してもよい。
【００２７】
続けて図２を参照し、様々な実施形態において、ＰＤ機能１６１は、それぞれ送受信機を有する１以上の通信インターフェース２２２、１以上のＡ／Ｖデコーダを有するメディアプレーヤ２２４、入力デバイス２２６、および、ブラウザ２２８を含んでもよい。通信インターフェース２２２は、移動体通信サービスと通信を行う通信インターフェース、アクセスポイント１１０と通信を行う通信インターフェース、および／または、ＳＶＤ１０２と直接通信を行う通信インターフェースを含んでもよい。１以上のＡ／Ｖデコーダを有するメディアプレーヤ２２４は、様々なＡ／Ｖコンテンツストリームをデコードおよびレンダリングするように構成されてもよい。様々なＡ／Ｖデコーダは、様々な形式および／または様々なエンコード方式のＡ／Ｖコンテンツストリームをデコードするように構成されてもよい。
【００２８】
入力デバイス２２６は、ＰＤ１１２のユーザが、様々なユーザ入力を提供可能とするように構成されていてもよい。入力デバイス２２６は、ユーザに、テキスト入力を提供することを可能にする（リアルまたはバーチャル）キーボード、および／または、タッチパッド、トラックボール等のカーソル制御デバイスを含んでもよい。様々な実施形態において、入力デバイス２２６は、ビデオ画面および／またはタッチセンサー式の画面を有して、ユーザが、ジェスチャ入力するのを可能としてもよい。ジェスチャ入力は、顔／ジェスチャ認識サービス２１８に関して上記で説明したのと同じまたは異なる手のジェスチャを含んでもよい。
【００２９】
ブラウザ２２８は、ＰＤ１１２のユーザが、インターネット上のリモート検索サービス、ｅコマースサイトまたはソーシャルネットワークにアクセス可能とするように構成されていてもよい。検索サービスの例としては、Ｇｏｏｇｌｅ（登録商標）、Ｂｉｎｇ（登録商標）等が挙げられる。ｅコマースサイトには、Ａｍａｚｏｎ（登録商標）、Ｂｅｓｔ Ｂｕｙ（登録商標）等が含まれてもよい。ソーシャルネットワークには、Ｆａｃｅｂｏｏｋ（登録商標）、ＭｙＳｐａｃｅ（登録商標）等が含まれてもよい。ブラウザ２２８はまた、ＰＤ１１２のユーザが、ＳＶＤ１０２上にレンダリングされるビデオストリームのプログラムに関連付けられたスペシャルインタレストグループ（ＳＩＧ）に参加することを可能としてもよい。このようなＳＩＧは、予め形成されてもよいし、コンテンツプロバイダによって配信される現在のコンテンツに基づいて、動的に形成されてもよい。このようなＳＩＧは、地理的にまたはＰＤデバイスの種類によって、分類されてもよい。
【００３０】
様々な実施形態において、ＳＶＤ連携機能１６２は、ＳＶＤ登録機能２３２、ＳＶＤビデオ／データサービス２３４、および、ＳＶＤ制御機能２３６を含んでもよい。ＳＶＤ連携機能１６２は更に、推奨機能２４２、および、顔／ジェスチャ認識サービス２４４を含んでもよい。
【００３１】
ＳＶＤ１０２のＰＤ登録／関連付け機能２１２と同様に、ＳＶＤ登録／関連付け機能２３２は、ＰＤ１１２を、ＳＶＤ１０２に登録する、または、ＳＶＤ１０２をＰＤ１１２に関連付けるように構成されてもよい。テレビ１０６がＰＩＰ機能を含む様々なセットトップボックス１０４およびテレビ１０６の実施形態の場合、ＳＶＤ登録機能２３２は、ＰＩＰ粒度レベルで、ＰＤ１１２をＳＶＤ１０２に登録する、または、ＳＶＤ１０２をＰＤ１１２と関連付けることにより、メインピクチャおよびＰＩＰ１０８にレンダリングされるビデオストリームが、独立して、同じまたは異なるＰＤ１１２に関連付けられることを可能にしてもよい。
【００３２】
ＳＶＤ１０２のＰＤビデオ／イメージ／データサービス２１４と同様に、ＳＶＤビデオ／イメージ／データサービス２３４は、ＳＶＤ１０２にレンダリングされるビデオストリームと関連付けられた、ビデオ、イメージおよび／またはデータを、ＳＶＤ１０２と交換するように構成されてもよい。同様に、ＳＶＤビデオ／イメージ／データサービス２３４は、ビデオ、イメージおよび／またはデータを、クラウドコンピューティングサーバから受け付けてもよいまたは当該サーバに送信してもよい。ＳＶＤビデオ／イメージ／データサービス２３４は、ブラウザ２２８と連携して、ビデオ、イメージおよび／またはデータを、クラウドコンピューティングサーバから／への送受信を達成してもよい。
【００３３】
ＳＶＤ制御２３６は、ＳＶＤ１０２に制御を提供して、ＳＶＤ１０２を制御してもよい。ＰＤ２１６によるＳＶＤ１０２の制御に関して先に説明したように、制御としては、これに限定されないが、ＰＩＰ１０８の拡大または縮小、メインピクチャとＰＩＰ１０８との間でのビデオストリームの交換、ビデオストリームの停止、一時停止、早送りまたは巻き戻しを含んでもよい。ＳＶＤ制御２３６はまた、ビデオストリームの品質を制御するために、ＳＶＤ１０２を制御して３ＤＴＶビデオストリームのレンダリングを調整する制御をＳＶＤ１０２に提供してもよい。更に、ＳＶＤ制御２３６は、コマーシャルの間の自動ビデオストリーム切り替え、および、コマーシャルが終了した時の自動切り替え復帰を提供するように構成されてもよい。ＳＶＤ制御２３６はまた、ＳＶＤ１０２上への３ＤＴＶビデオストリームのレンダリングを調整する制御をＳＶＤ１０２に提供して、レンダリングされる３ＤＴＶイメージの品質を制御してもよい。構成要素イメージ間での相対的な奥行きの制御、縁部の色および／または鮮明さの歪みを低減する制御を含んでもよい。
【００３４】
ＳＶＤ１０２の推奨機能２２０と同様に、推奨機能２４２は、単独でまたは推奨機能２２０との組み合わせで、ＰＤ１１２を使用したＳＶＤ１０２とのやり取り／連携に基づいて、および／または、ＰＤ機能１６１とＳＶＤ連携機能１６２との間のやり取り／連携に基づいて、パーソナライズされたビデオコンテンツの推奨をＰＤ１１２のユーザに提供してもよい。推奨機能２４２は更に、例えば、ＰＤ１１２に搭載されたＧＰＳによって記録された訪れた位置等のトレースデータのように、ＰＤ１１２において利用可能なその他のデータを採用するように構成されてもよい。
【００３５】
更に説明する前に、ＳＶＤ１０２およびＰＤ１１２の実施形態が図２を参照して、両デバイスがそれぞれ、推奨機能２２０および２４２、ならびに、顔／ジェスチャ認識サービス２１８および２４４を有するとして説明されたが、別の実施形態では、ＳＶＤ１０２およびＰＤ１１２の一方のみが推奨機能または顔／ジェスチャ認識サービスを有してもよいし、全く有さなくてもよい。同様に、理解を容易にするために、ビデオ／イメージ／データサービス２１４および２３４、ならびに、顔／ジェスチャ認識サービス２１８および２４４が、組み合わせられたサービスとして説明されたが、別の実施形態では、これらサービスのうちの一方または両方が、別個の複数のサービスに分割されてもよく、例えば、ビデオ／イメージ／データサービスは、個別のビデオサービス、イメージサービスおよびデータサービスへと、顔／ジェスチャ認識サービスは、個別の顔認識サービスおよびジェスチャ認識サービスへと分割されることで、本開示が実施されてもよい。
【００３６】
上記したように、登録または関連付けでは、ＰＤ連携機能１５２およびＳＶＤ連携機能１６２は、連携して、ＰＤ１１２のユーザによるパーソナライズされたビデオコンテンツ消費を容易にする。例えば、ＰＤ機能２１６による制御およびＳＶＤ制御機能２３６を連携させて、ＰＤ１１２のユーザが、ＳＶＤ１０２のオペレーションを制御することを可能としてもよい。具体的には、ユーザの特定のジェスチャを認識する顔／ジェスチャ認識サービスを使用して、ＰＤ機能２１６による制御およびＳＶＤ制御機能２３６が連携して応答して、ＳＶＤ１０２にレンダリングされるビデオストリームのあるセグメントを、ＰＤ１１２上で再生させることを可能としてもよい。更に、ユーザの別のジェスチャ入力の認識に応答して、ＰＤ機能２１６による制御およびＳＶＤ制御機能２３６が連携して、ＳＶＤ１０２にレンダリングされるビデオストリームを、停止、一時停止、早送りまたは巻き戻しすることを可能としてもよい。同様に、別のジェスチャの認識に応答して、ＰＤ機能２１６による制御およびＳＶＤ制御機能２３６が連携して、ＳＶＤ１０２のＰＩＰ１０８を拡大または縮小すること、または、メインピクチャおよびＰＩＰ１０８にレンダリングされる２つのビデオストリームを交換することを可能としてもよい。
【００３７】
更なる別の例として、推奨機能２２０および／または２４２は、単独でまたは組み合わせて採用して、過去のやり取りまたは連携を分析して、様々な推奨を行ってもよく、例えば、ＳＶＤ１０２で視聴するべき他のビデオコンテンツ、ＰＤ１１２上で訪れるべき／閲覧するべき他のウェブサイトまたはコンテンツ、および／または、購入すべきその他の商品等の推奨を行ってもよい。
【００３８】
図３には、様々な実施形態に係る共有デバイスおよびパーソナルデバイスを使用したパーソナライズされたビデオコンテンツ消費の方法の一例が示されている。図に示すように、方法３００は、以下に、図４を参照してより詳細に説明する、ＳＶＤ１０２および／またはＰＤ１１２が互いに登録または関連付けされるブロック３０２および／または３０４で開始してもよい。様々な実施形態において、方法３００は、ＰＤ１１２が自身をＳＶＤ１０２に登録すること、または、自身をＳＶＤ１０２に関連付けすることによって、実施されてもよい。別の実施形態では、方法３００は、ＳＶＤ１０２が自身をＰＤ１１２に登録すること、または、自身をＰＤ１１２に関連付けすることによって、実施されてもよい。更なる別の実施形態では、方法３００は、ＳＶＤ１０２およびＰＤ１１２が、互いに自身を登録または関連付けすることにより、実施されてもよい。
【００３９】
様々な実施形態において、ＳＶＤ１０２およびＰＤ１１２は、次に行う通信を容易にするために、登録プロセスの一部として、設定情報を交換してもよい。例えば、ＳＶＤ１０２およびＰＤ１１２は、それぞれの機能の情報、例えば、処理能力、サポートしているエンコード／デコード方式、サポートしているメッセージングプロトコル等を交換してもよい。様々な実施形態において、ＳＶＤ１０２および／またはＰＤ１１２はまた、登録プロセスの一部として、それぞれのデバイスに、必要なソフトウェアおよび／更新を、取り込むおよび／またはインストールするように構成されてもよい。
【００４０】
登録または関連付けが終わると、方法３００は、ブロック３０６に進み、ＰＤ１１２は、ＰＤ１１２のユーザから、ＳＶＤ１０２およびＰＤ１１２を連携させて、パーソナライズされたユーザ機能を提供するという指示または選択を受信してもよい。方法３００は、ブロック３０６からブロック３０８へと進み、ＰＤ１１２は、ＳＶＤ１０２と連携して、パーソナライズされたユーザ機能のユーザへの連携提供を容易にしてもよい。
【００４１】
ブロック３０８において、ＳＶＤ１０２の制御が受信される。上記で説明したように、制御は、ＰＤ１１２のユーザのジェスチャにより入力されてもよい。上記で説明したように、制御は、これに限定されないが、ＳＶＤ１０２にレンダリングされるビデオストリームのあるセグメントを、ＰＤ１１２上で再生させることを要求すること、ＳＶＤ１０２にレンダリングされるビデオストリームを、停止、一時停止、早送りまたは巻き戻しすることをＳＶＤ１０２に要求すること、ＰＩＰ１０８を拡大または縮小することを要求すること、および／または、メインピクチャとＰＩＰ１０８とを交換することを要求することを含んでもよい。制御を受信すると、方法３００は、ブロック３０８からブロック３１８へと進み、次いでブロック３２０へと進んで、ＰＤ１１２からＳＶＤ１０２へと制御を送信して、制御がＳＶＤ１０２で処理されて、ＳＶＤ１０２が応答するようにしてもよい。制御が、ＰＤ１１２におけるビデオセグメントの再生である場合には、方法３００は、ブロック３２０からブロック３１２および３１０を経てブロック３０８へと戻ってもよい、または、方法３００は、ブロック３１８を経てブロック３０８へと戻ってもよい。
【００４２】
更に、または、上記のオペレーションの替わりに、方法３００は、ブロック３０８において、ブロック３２２へと進み、ビデオコンテンツ消費の履歴、消費されたビデオコンテンツと関連付けられたユーザアクション、ＳＶＤ１０２とＰＤ１１２との間のやり取り／連携の分析を実行してもよく、その他のコンテンツ消費またはユーザアクションについてのパーソナライズされた推奨を、ＰＤ１１２のユーザに提示してもよい。
【００４３】
その後で、様々なユーザ入力に応答して、上記のオペレーションを繰り返してもよい。最終的には、方法３００は、ブロック３０８からブロック３２４へと進み、ユーザ機能の連携提供を終了するユーザ入力が受信されてもよい。このような入力が受信されると、方法３００が終了する。
【００４４】
様々な実施形態において、ＳＶＤ１０２およびＰＤ１１２の両方を使用して、ＰＤ１１２のユーザによるパーソナライズされたビデオコンテンツ消費を容易にするのに加えて、方法３００は、ＳＶＤ１０２およびＰＤ１１２を連携させて、パーソナライズされたユーザ機能を提供することを含んでもよい。このようなパーソナライズされたユーザ機能の例としては、少なくとも部分的に、消費されたビデオコンテンツに関連付けられたイメージ内のオブジェクトおよび／またはイメージを理由として生じるまたはそれらに基づいて、消費されたビデオコンテンツに関連付けられたイメージおよび／またはイメージ内のオブジェクトのアノテーション（annotation）、オンライン検索の実行、ソーシャルネットワークとのやり取り、および／または、ｅコマース取引の実行が含まれてもよい。このような連携によるパーソナライズされたユーザ機能の提供の場合、方法３００は更に、ブロック３０８から、ブロック３１０および３１２へと遷移して再び戻る、または、ブロック３１４および３１６へと遷移して再び戻る。連携によるパーソナライズされたユーザ機能の提供については、同時期に出願された代理人整理番号110466-182901の文献に記載されている。詳細については、上記の出願を参照されたい。
【００４５】
図４には、様々な実施形態に係る共有デバイスとパーソナルデバイスとの間の登録および／または関連付けの方法に基づいた、顔認識の様々な例が示されている。図に示すように、方法４００は、例えば、ブロック４０２において、ユーザの画像を（カメラ等の撮像デバイスを備える）ＳＶＤ１０２が取得することから開始してもよい。様々な実施形態において、ＳＶＤ１０２は、ＳＶＤの１０２の正面の空間の画像を撮像することによって、ユーザの画像を取得して、ユーザの顔について（例えば、顔／ジェスチャ認識サービス２１８を使用して）画像を分析してもよい。新規のユーザの顔を特定すると、ＳＶＤ１０２は（例えば、登録／関連付け機能２１２を使用して）、新規のユーザの画像を生成してもよい。ＳＶＤ１０２は、周期的に上記の画像取得および生成オペレーションを実行してもよく、すなわち、例えば、電源投入時等の時間ベースで、または、例えば、イベント起動ベースで、レンダリングされるビデオストリームの変更またはレンダリングされるビデオストリームのジャンルの変更等のイベント起動ベースで、周期的に実行されてもよい。
【００４６】
方法４００は、ブロック４０２からブロック４０４へと進み、ＰＤ１１２を検出したことまたはＰＤ１１２からのコンタクトに応答して、ＳＶＤ１０２は、ＳＶＤ１０２のユーザの画像を、ＰＤ１１２へと送信してもよい。方法４００は、ブロック４０４からブロック４０６へと進み、ある"手動"の実施形態の場合には、ＰＤ１１２は、受信した画像を表示して、ＰＤ１１２のユーザが、受信した画像のうちの１つが、ＰＤ１１２のユーザの画像であるかを確認してもよい。これに代えて、ある"自動化された"の実施形態の場合には、例えば、顔／ジェスチャ認識サービス２４４を使用して、ＰＤ１１２は、受信した画像と、ＰＤ１１２のユーザのリファレンス画像とを比較してもよい。ＰＤ１１２のユーザのリファレンス画像は、予めＰＤ１１２に提供されていてもよいし、（カメラのような撮像デバイスを備える実施形態の場合）ＰＤ１１２によって撮像されてもよい。
【００４７】
方法４００は、ブロック４０６からブロック４０８へと進み、"手動"の実施形態の場合、ＰＤ１１２は、ＳＶＤ１０２のユーザの選択された画像がＰＤ１１２のユーザに一致していることを示すべく、ＰＤ１１２のユーザから、受信した画像のうちの１つを選択したことを受信してもよい。"自動化された"実施形態の場合には、ＰＤ１１２は、受信した画像のうち、リファレンス画像の実質的に一致する１つを選択してもよい。
【００４８】
方法４００は、ブロック４０８からブロック４１０へと進み、ＰＤ１１２は、自身を、ＳＶＤ１０２と関連付けしてもよい。自信をＳＶＤ１０２と関連付けする際には、ＰＤ１１２は、（ユーザによって提供されたまたは比較オペレーションによって提供された）選択情報を、ＳＶＤ１０２に送信して、自身をＳＶＤ１０２（または、ＳＶＤ１０２のテレビ１０６のＰＩＰ１０８のような、ＳＶＤ１０２の論理ユニット）に登録してもよい。
【００４９】
方法４００は、ブロック４１０からブロック４１２へと進み、ＳＶＤ１０２は、供給された選択に応答して、自身をＰＤ１１２に関連付けしてもよく、選択された画像のユーザとＰＤ１１２とを関連付けすることを含む。ＰＤ１１２が、関連付けられている様々なＳＶＤ１０２（例えば、通常の住居に設置しているＳＶＤ１０２、ビーチハウスに設置しているＳＶＤ１０２等）のマップを保持する様々な実施形態において、応答して、ＳＶＤ１０２は、自身をＰＤ１１２に登録してもよい。
【００５０】
別の実施形態では、方法４００は、ブロック４０４からブロック４２２へと進み、ブロック４２２では、ＳＶＤ１０２は、外部ソース、例えば、クラウドコンピューティングサーバにコンタクトして、取得した／生成したユーザの画像を使用して、ＰＤ１１２のＩＤおよび／または設定情報を取得してもよい。方法４００は、ブロック４２２からブロック４１２へと進み、ＳＶＤ１０２は、ユーザの画像に基づいて、ＩＤ情報を取得可能である場合に、ユーザの画像とＰＤ１１２とをそれぞれ関連付けることを含めて、ＳＶＤ１０２は、自身を、少なくともＩＤ情報を取得可能であった全てのＰＤ１１２と関連付けてもよい。
【００５１】
別の実施形態では、方法４００は、ブロック４３２で開始して、ＰＤ１１２は、例えば、クラウドコンピューティングサーバである外部ソースにコンタクトして、ＳＶＤ１０２のＩＤおよび／または設定情報を取得してもよい。取得に成功した場合には、ＰＤ１１２は、ブロック４３２からブロック４１０へと進み、ＰＤ１１２は、ＳＶＤ１０２を自身と関連付ける。ブロック４１０において、ＰＤ１１２は、自身をＳＶＤ１０２に登録してもよい。そして、方法４００は、上記したように、ブロック４１０からブロック４１２へと進む。
【００５２】
図５は、本開示の様々な実施形態に係る、共有デバイスおよびパーソナルデバイスの、連携によるパーソナライズされたユーザ機能の提供の一例のユーザビューを示している。図に示すように、最初に、連携によるパーソナライズされたユーザ機能の提供５００の例では、当該機能は、ＰＤ１１２のユーザに、例えば、ＰＤ１１２に表示されるアイコンを使用して、ＳＶＤ連携機能１６２を起動するオプションを提示する。オプションの選択に応答して、ＰＤ１１２のユーザに、ＳＶＤ登録／関連付け機能２３２またはパーソナライズされたビデオコンテンツ消費を容易にするためのＳＶＤ制御２３６のオプションを提示してもよい。様々な実施形態において、ＰＤ１１２のユーザには更に、ＳＶＤビデオ／イメージ／データサービス２３４のオプションが提示されてもよい。
【００５３】
ＳＶＤ登録／関連付け機能２３２の選択が行われると、上記したようなメッセージに基づくまたは顔認識に基づく登録／関連付けのような、様々な登録および／または関連付けオペレーション５０８が実行されてもよい。ＳＶＤ制御機能２３６の選択が行われると、ＰＤ１１２のユーザに、ＳＶＤ１０２を制御するためのジェスチャを受け付けるおよび受信するためのジェスチャ認識機能５１６が提供されてもよく、それにより、例えば、ＰＩＰ１０８を拡大または縮小する、メインピクチャとＰＩＰ１０８との間の２つのビデオストリームを交換する、または、ＳＶＤ１０２にレンダリングされるビデオストリームの停止、一時停止、早送りまたは巻き戻しを行ってもよい。
【００５４】
ＳＶＤビデオ／イメージ／データサービス２３４のオプションも提供される実施形態の場合、ＳＶＤビデオ／イメージ／データサービス２３４の選択では、ＰＤ１１２のユーザに、ＳＶＤ１０２にレンダリングされるビデオストリームのビデオセグメントを要求する５０２オプション、または、ＳＶＤ１０２にレンダリングされるビデオストリームのイメージフレームを要求する５０４オプションが提示されてもよい。要求５０２および要求５０４何れかの選択が行われると、要求されたビデオセグメントが再生５０６されてもよく、イメージフレームまたは１以上のオブジェクトがアノテーション２３８されてもよく、および／または、アノテーション付きでまたはアノテーション無しで格納２４０されてもよい。更に、様々なブラウザ２２８関連機能が実行されてもよい。図６には、本開示の様々な実施形態に係る、イメージまたはイメージ内のオブジェクトのアノテーションのユーザビューが示されている。図６には、複数のオブジェクト６１４を有するイメージ６１２が示されており、複数のオブジェクト６１４のうちの１つが選択６１６され、アノテーションに入るためのポップアップ領域６１８、および、ＳＶＤ１０２およびＰＤ１１２によって連携して提供される様々な機能オプションを有するポップアップメニュー６２０を有する。これら特徴については、上記の関連出願に記載されている。更なる詳細については、上記の関連出願を参照されたい。
【００５５】
図７には、本開示の様々な実施形態に係る共有デバイスおよびパーソナルデバイスによる連携によるパーソナライズされた推奨の一例が示されている。図に示すように、方法７００は、ブロック７０２で開始されてもよく、ビデオコンテンツ消費、消費されたビデオコンテンツに関連付けられたユーザアクション、ＰＤ１１２およびＳＶＤ１０２の間のやり取りおよび連携が、ＰＤ１１２自身によりまたはＳＶＤ１０２と連携して、ＰＤ１１２、ＳＶＤ１０２またはクラウドコンピューティングサーバに記録および保存されてもよい。ブロック７０２のオペレーションが続いてもよい。
【００５６】
方法７００は、ブロック７０２から周期的にブロック７０４へと進んでもよく、ブロック７０４では、ＳＶＤ１０２および／またはＰＤ１１２は、独立してまたは組み合わせて、格納された情報を分析してもよい。方法７００は、ブロック７０４からブロック７０６へと進み、ＳＶＤ１０２またはＰＤ１１２は、分析の結果の少なくとも一部に基づいて、ビデオコンテンツおよび／またはその他の推奨を、ＰＤ１１２のユーザに対してパーソナライズしてもよい。上記で説明したように、パーソナライズされた推奨は、ビデオストリーム、ウェブサイト等のパーソナライズされた推奨を含んでもよい。
【００５７】
方法７００は、ブロック７０６からブロック７０２へと戻り、その後で、上記したように進んでもよい。
【００５８】
図８には、本開示の様々な実施形態に係る非一時的コンピュータ可読記憶媒体が例示されている。図に示すように、非一時的コンピュータ可読記憶媒体８０２は、複数のプログラミング命令８０４を含んでもよい。プログラミング命令８０４は、ＳＶＤ１０２またはＰＤ１１２によるプログラミング命令の対応する実行に応答して、ＳＶＤ１０２またはＰＤ１１２が、図３および図４を参照して説明した方法３００−４００のＳＶＤまたはＰＤ部分のオペレーションを実行可能としてもよい。別の実施形態では、プログラミング命令は、２つ以上の記憶媒体に配置されてもよい。
【００５９】
図９には、本開示の様々な実施形態に係る、ＳＶＤまたはＰＤとして使用するのに好適なコンピュータシステムの例が示されている。図に示すように、コンピュータシステム９００は、複数のプロセッサまたはプロセッサコア９０２、および、システムメモリ９０４を備える。特許請求の範囲を含む本願の目的のため、"プロセッサ"および"プロセッサコア"という言葉は、コンテキストにおいて明確にそうでないことを必要とされない限り、同義語であると見なされる。更に、コンピュータシステム９００は、マスストレージデバイス９０６（例えば、ディスケット、ハードドライブ、コンパクトディスクリードオンリーメモリ（ＣＤ−ＲＯＭ）等）、入出力デバイス９０８（ディスプレイ、キーボード、カーソル制御、タッチパッド、カメラ等）、および、通信インターフェース９１０（ＷｉＦｉ（登録商標）、Ｂｌｕｅｔｏｏｔｈ（登録商標）、３Ｇ／４Ｇネットワークインターフェースカード、モデム等）を備える。これら要素は、１以上のバスとして表されているシステムバス９１２を使用して、互いに結合される。複数のバスが存在する場合、１以上のバスブリッジ（図示せず）によってブリッジされる。
【００６０】
これら要素はそれぞれ、当技術分野で周知の従来の機能を実行する。より詳細には、システムメモリ９０４およびマスストレージ９０６を採用して、上記で図３および図４を参照して説明した方法３００−４００のＳＶＤ部分またはＰＤ部分、すなわち、ここでは計算ロジック９２２と称される、ＰＤ連携機能１５２またはＳＶＤ連携機能１６２またはこれらの一部を実装するプログラミング命令のワーキングコピーおよびパーマネントコピーを格納してもよい。計算ロジック９２２は更に、ＳＶＤ機能１５１またはＰＤ機能１６１またはこれらの一部分を実行またはサポートするプログラミング命令を含んでもよい。様々な構成要素を、プロセッサ９０２がサポートするアセンブラ命令、または、例えば、このような命令にコンパイル可能なＣ言語のような高級言語によって実装してもよい。
【００６１】
プログラミング命令のパーマネントコピーは、工場でまたはフィールドで、例えば、コンパクトディスク（ＣＤ）のような配布媒体（図示せず）を介して、または、（配信サーバ（図示せず）から）通信インターフェース９１０を介して、マスストレージ９０６内に配置されてもよい。すなわち、計算ロジック９２２の実装を有する１以上の配布媒体を採用して、計算ロジック９２２を配布し、様々なコンピュータデバイスをプログラムしてもよい。
【００６２】
これら要素９０２−９１２の構成は、周知であり、本明細書では説明しない。
【００６３】
特定の実施形態が本明細書に示されたが、当業者であれば、様々な別のおよび／または等価な実装が、本開示の実施形態の範囲内において、特定の実施形態に適していることが理解できる。本願は、本明細書に記載された実施形態のあらゆる適用例および変形例についても範囲に含めることを意図している。したがって、本開示の実施形態は、特許請求の範囲およびその均等物によってのみ限定されることを明確に意図している。
［項目１］
パーソナライズされたビデオコンテンツを消費するための方法であって、
一のユーザのパーソナルデバイスにより、複数のユーザによる使用のために構成された共有ビデオデバイスに登録する段階、または、前記パーソナルデバイスにより、前記共有ビデオデバイスを前記パーソナルデバイスに関連付ける段階と、
前記登録する段階または前記関連付ける段階の後に、前記一のユーザによるパーソナライズされたビデオコンテンツ消費を容易にするべく、前記パーソナルデバイスにより、前記共有ビデオデバイスと連携する段階と、を備える方法。
［項目２］
前記パーソナルデバイスは、スマートフォンおよびタブレットコンピュータのうちから選択された１つを含み、
前記共有ビデオデバイスは、テレビおよび前記テレビに結合されたセットトップボックスのうちから選択された１つを含み、
前記登録する段階は、
前記スマートフォンおよび前記タブレットコンピュータのうちから選択された前記１つにより、前記テレビおよび前記テレビに結合された前記セットトップボックスのうちから選択された前記１つとの関連付け、または、前記テレビおよび前記テレビに結合された前記セットトップボックスのうちから選択された前記１つの前記テレビにおけるピクチャインピクチャとの関連付け、を登録する段階を有する、または、
前記スマートフォンおよび前記タブレットコンピュータのうちから選択された前記１つにより、前記テレビおよび前記テレビに結合された前記セットトップボックスのうちから選択された前記１つの前記テレビにおけるピクチャインピクチャを、前記スマートフォンおよび前記タブレットコンピュータのうちから選択された前記１つに関連付ける段階を有する、項目１に記載の方法。
［項目３］
前記登録する段階は、前記パーソナルデバイスを前記共有ビデオデバイスに関連付けるまたは関連付けを容易にするべく、前記共有ビデオデバイスのユーザの画像の選択、または、前記パーソナルデバイスの前記一のユーザの画像を、前記パーソナルデバイスにより、前記共有ビデオデバイスに送信する段階を有する項目１または２に記載の方法。
［項目４］
前記登録する段階は、前記パーソナルデバイスにより、前記共有ビデオデバイスのユーザの画像の選択を、前記共有ビデオデバイスへと送信する段階を有し、
前記登録する段階は更に、
送信された前記選択の前記ユーザの前記画像を含む前記共有ビデオデバイスの複数のユーザの１以上の画像を、前記パーソナルデバイスにより前記共有ビデオデバイスから受信する段階と、
送信された前記選択の前記ユーザの前記画像を含む前記共有ビデオデバイスの複数のユーザの前記１以上の画像を、前記パーソナルデバイスにより表示する段階と、
送信された前記選択の前記ユーザの前記画像を選択するユーザ入力を、前記パーソナルデバイスにより受け付ける段階とを有する、
または、
送信された前記選択の前記ユーザの前記画像を含む前記共有ビデオデバイスの複数のユーザの１以上の画像を、前記パーソナルデバイスにより、前記共有ビデオデバイスから受信する段階と、
前記パーソナルデバイスにより、前記共有ビデオデバイスの前記複数のユーザの前記１以上の画像と、前記パーソナルデバイスの一のユーザのリファレンス画像とを比較する段階と、
前記パーソナルデバイスにより、前記比較する段階の結果に少なくとも一部基づいて、送信された前記選択の前記ユーザの前記画像を選択する段階とを有する、項目３に記載の方法。
［項目５］
前記登録する段階は、前記パーソナルデバイスにより、前記パーソナルデバイスの前記一のユーザの画像を、前記共有ビデオデバイスに送信する段階を有し、
前記方法は更に、
前記パーソナルデバイスにより、前記パーソナルデバイスの前記一のユーザの前記画像を受信するまたは撮像する段階を備える、項目３に記載の方法。
［項目６］
前記連携する段階は、前記共有ビデオデバイスにレンダリングされるビデオストリームと関連付けられたビデオ、イメージまたはデータを、前記パーソナルデバイスにより、前記共有ビデオデバイスと交換する段階を有する、項目１から５の何れか１項に記載の方法。
［項目７］
前記交換する段階は、前記共有ビデオデバイスにレンダリングされるビデオストリームに対してユーザが興味を持っているかまたは好きか／嫌いかに関連するデータを、前記パーソナルデバイスにより、前記共有ビデオデバイスから受信する段階を含み、
前記データは、前記共有ビデオデバイスによる顔の表情または手のジェスチャの認識を使用して、前記共有ビデオデバイスにより生成される、項目６に記載の方法。
［項目８］
前記連携する段階は、前記共有ビデオデバイスにレンダリングされる１以上のビデオストリームを制御するための制御を、前記パーソナルデバイスにより、前記共有ビデオデバイスへと送信する段階を有する、項目１から７の何れか１項に記載の方法。
［項目９］
受信する段階は、ピクチャインピクチャを拡大または縮小する制御、メインピクチャおよびピクチャインピクチャにレンダリングされる２つのビデオストリームを交換する制御、または、３ＤＴＶレンダリングに関連する制御を受信する段階を含む、項目８に記載の方法。
［項目１０］
前記連携する段階は更に、
前記パーソナルデバイスにより、前記一のユーザの１以上の手のジェスチャを認識する段階と、
前記パーソナルデバイスにより、前記１以上の手のジェスチャに少なくとも一部基づいて、前記制御を生成する段階とを有する、項目８または９に記載の方法。
［項目１１］
パーソナライズされたビデオコンテンツを消費するための方法であって、
複数のユーザによる使用のために構成された共有ビデオデバイスにより、一のユーザのパーソナルデバイスに登録する段階、または、前記共有ビデオデバイスにより、前記パーソナルデバイスを前記共有ビデオデバイスに関連付ける段階と、
前記登録する段階または前記関連付ける段階の後に、前記一のユーザによるパーソナライズされたビデオコンテンツ消費を容易にするべく、前記共有ビデオデバイスにより、前記パーソナルデバイスと連携する段階と、を備える方法。
［項目１２］
前記パーソナルデバイスは、スマートフォンおよびタブレットコンピュータのうちから選択された１つを含み、
前記共有ビデオデバイスは、テレビおよび前記テレビに結合されたセットトップボックスのうちから選択された１つを含み、
前記登録する段階は、
前記テレビおよび前記テレビに結合されたセットトップボックスのうちから選択された前記１つにより、前記スマートフォンおよび前記タブレットコンピュータのうちから選択された前記１つとの関連付け、または、前記スマートフォンおよび前記タブレットコンピュータのうちから選択された前記１つの前記テレビにおけるピクチャインピクチャとの関連付け、を登録する段階を有する、
または、
前記関連付ける段階は、前記テレビおよび前記テレビに結合された前記セットトップボックスのうちから選択された前記１つにより、前記スマートフォンおよび前記タブレットコンピュータのうちから選択された前記１つを、前記テレビおよび前記テレビに結合された前記セットトップボックスのうちから選択された前記１つ、または、前記テレビおよび前記テレビに結合された前記セットトップボックスのうちから選択された前記１つの前記テレビにおけるピクチャインピクチャに、関連付ける段階を有する、項目１１に記載の方法。
［項目１３］
前記登録する段階は、前記共有ビデオデバイスに既知の前記共有ビデオデバイスのユーザの画像と前記パーソナルデバイスとが関連付けられていることを認識することに少なくとも一部基づいて、前記共有ビデオデバイスにより、前記パーソナルデバイスに登録する段階を有する、項目１１または１２に記載の方法。
［項目１４］
前記方法は更に、
前記共有ビデオデバイスの前記ユーザの前記画像と、前記パーソナルデバイスとが関連付けられたことを、前記共有ビデオデバイスにより認識する段階を備える、項目１３に記載の方法。
［項目１５］
前記方法は更に、
前記共有ビデオデバイスにより、前記共有ビデオデバイスの正面の空間の画像を撮像する段階と、
前記共有ビデオデバイスの１以上のユーザの顔を特定するべく、前記共有ビデオデバイスにより、前記共有ビデオデバイスの前記正面の空間を分析する段階と、
前記共有ビデオデバイスにより、前記分析する段階で特定された前記１以上のユーザの顔に少なくとも一部基づいて、前記１以上のユーザの１以上の画像を生成する段階と、
前記共有ビデオデバイスにより、前記共有ビデオデバイスの外部のデータソースから、前記１以上のユーザに関連付けれた１以上のパーソナルデバイスの１以上のＩＤを取得する段階と、を備える項目１４に記載の方法。
［項目１６］
前記認識する段階は、前記共有ビデオデバイスにより、前記共有ビデオデバイスのユーザの画像の選択、または、前記パーソナルデバイスの前記一のユーザの画像を前記パーソナルデバイスから受け付けて、前記パーソナルデバイスと前記ユーザとの関連付けを登録する段階を含む、項目１４または１５に記載の方法。
［項目１７］
前記認識する段階は、前記共有ビデオデバイスにより、前記共有ビデオデバイスのユーザの画像の選択を、前記パーソナルデバイスから受け付ける段階を含み、
前記方法は更に、
前記共有ビデオデバイスにより、前記共有ビデオデバイスの１以上のユーザの１以上の画像を撮像する段階と、
前記パーソナルデバイスまたは前記パーソナルデバイスのユーザによる選択のために、前記共有ビデオデバイスにより、前記共有ビデオデバイスの前記１以上のユーザの前記１以上の画像を、前記パーソナルデバイスに供給する段階と、を更に備える項目１６に記載の方法。
［項目１８］
前記撮像する段階は、
前記共有ビデオデバイスにより、前記共有ビデオデバイスの正面の空間の画像を撮像する段階と、
前記共有ビデオデバイスを見る１以上のユーザの顔を特定するべく、前記共有ビデオデバイスの前記正面の空間の撮像された前記画像を、前記共有ビデオデバイスにより分析する段階と、
前記分析する段階で特定された前記１以上のユーザの顔に少なくとも一部基づいて、前記１以上のユーザの前記１以上の画像を生成する段階と、を有する項目１７に記載の方法。
［項目１９］
前記連携する段階は、前記共有ビデオデバイスにより、前記共有ビデオデバイスにレンダリングされるビデオストリームと関連付けられたビデオ、イメージまたはデータを、前記パーソナルデバイスと交換する段階を有する、項目１１から１８の何れか１項に記載の方法。
［項目２０］
前記方法は更に、
ビデオコンテンツを消費する間に、前記共有ビデオデバイスにより、ユーザの顔の表情または手のジェスチャを認識する段階と、
前記共有ビデオデバイスにより、前記ビデオコンテンツに対して前記ユーザが興味を持っているかまたは好きか／嫌いかに関連するデータを生成する段階と、
前記共有ビデオデバイスにより、前記ビデオコンテンツに対して前記ユーザが興味を持っているかまたは好きか／嫌いかに関連する前記データを、前記パーソナルデバイスに送信する段階と、を更に備える項目１９に記載の方法。
［項目２１］
前記連携する段階は、前記共有ビデオデバイスにより、前記共有ビデオデバイスにレンダリングされる１以上のビデオストリームを制御するための制御を、前記パーソナルデバイスから受信する段階を有し、
前記制御は、前記パーソナルデバイスによって認識されるユーザの１以上の手のジェスチャに少なくとも一部基づいて、前記パーソナルデバイスによって生成される、項目１１から２０の何れか１項に記載の方法。
［項目２２］
前記受信する段階は、ピクチャインピクチャを拡大または縮小する制御、メインピクチャおよびピクチャインピクチャにレンダリングされる２つのビデオストリームを交換する制御、または、３ＤＴＶレンダリングを制御する制御を受信する段階を含む、項目２１に記載の方法。
［項目２３］
パーソナライズされたビデオコンテンツを消費するための装置であって、
複数の命令を有する少なくとも１つのコンピュータ可読記憶媒体を備え、
一のユーザのパーソナルデバイスによって前記複数の命令が実行されたことに応答して、前記パーソナルデバイスに、項目１から１０の何れか一項に記載の方法を実行させる装置。
［項目２４］
パーソナライズされたビデオコンテンツを消費するための装置であって、
複数のユーザによる消費のための１以上のビデオストリームをレンダリングするビデオレンダリング回路と、
前記装置を、一のユーザのパーソナルデバイスに登録する、または、前記パーソナルデバイスと前記装置とを関連付ける、登録−関連付け機能と、
前記ビデオレンダリング回路および前記登録−関連付け機能と、動作可能に結合され、登録または関連付けを行った後に、ユーザに対してパーソナライズされたユーザ機能を提供するべく、前記パーソナルデバイスと連携する１以上のパーソナルデバイス連携機能と、を備える装置。
［項目２５］
前記登録−関連付け機能および前記１以上のパーソナルデバイス連携機能は更に、前記装置が、項目１２から２２の何れか一項に記載の方法を実行することを可能にする、項目２４に記載の装置。
【図１】
0005838487.tif 000002
【図２】
0005838487.tif 000003
【図３】
0005838487.tif 000004
【図４】
0005838487.tif 000005
【図５】
0005838487.tif 000006
【図６】
0005838487.tif 000007
【図７】
0005838487.tif 000008
【図８】
0005838487.tif 000009
【図９】
0005838487.tif 000010